(57)【特許請求の範囲】
【請求項１】
挿入されたカードを内部に引き込むと共に必要に応じて外部に押し出して返却するカード引き込み部と、当該カード引き込み部の引き込み方向奥側に設けられ引き込まれたカードを一時的に保管する保管部と、当該保管部で保管されたカードを適宜回収するカード回収部とを備えてなるカード回収装置であって、
上記保管部は、一時的に保管したカードを返却する際にそのカードを上記カード引き込み部側へ押し戻す摩擦車を上記保管部の奥側上部に備えると共に、当該摩擦車と、上記カードを搬送する搬送ベルトとにより上記カードを支持し、
上記カード回収部は、上記搬送ベルトが作動されることで上記カードの支持をなくし、上記カード引き込み部の引き込み方向と交差する方向にカードを搬送して回収する摩擦車でなる回収手段を備えたことを特徴とするカード回収装置。
【請求項２】
請求項１に記載のカード回収装置において、
上記摩擦車が、回転軸に取り付けられるハブと、当該ハブの周囲に放射状に複数設けられると共に可撓性があって摩擦抵抗の大きい摩擦ヘラとを備えて構成されたことを特徴とするカード回収装置。
【請求項３】
請求項１又は２に記載のカード回収装置において、
上記回収手段で回収したカードを保管する回収箱を備え、
当該回収箱に、内部に保管されたカードを取りやすくするための切り欠きと、上記回収箱の下側に設けられ上記回収箱を前後方向にスライドさせるスライド機構とを備えたことを特徴とするカード回収装置。
【請求項４】
請求項１乃至３のいずれか１項に記載のカード回収装置において、
上記保管部又は上記カード回収部に、再使用防止のための加工を施す加工手段を備えたことを特徴とするカード回収装置。
【請求項５】
請求項１乃至４のいずれか１項に記載のカード回収装置において、
上記カード引き込み部が、その挿入口に、挿入されたカードを検知するカード検知センサと、当該カード検知センサでカード挿入を検知したときに上記保管部にカードが保管されていない場合及び利用度数等の残っていないカードが保管されている場合は開放すると共に上記保管部に利用度数等の残っているカードが保管されている場合は新しいカードの挿入を阻止するストッパとを備えたことを特徴とするカード回収装置。
【請求項６】
請求項１乃至５のいずれか１項に記載のカード回収装置において、
新たなカードが挿入されたときに、上記保管部に保管されたカードを上記回収手段によって回収させる制御部を備えたことを特徴とするカード回収装置。
【発明の詳細な説明】
【０００１】
【発明の属する技術分野】
本発明は、遊技機の玉貸機等に使用されるカードのカード回収装置に関する。
【０００２】
【従来の技術】
例えば、パチンコホール等の遊技施設では、遊技を行うために用いるパチンコ玉等の貸機として、流通貨幣の利用できる貸機以外に、利用度数を記録したカードを用いるカード式貸機がある。近年では、コスト低減等を図るために、カードを再利用できるカード式貸機が提案されている。このカード式貸機においては、利用度数の結果としてカードを貸機内から挿入口に返却することが必要になる。即ち、利用度数が残っている場合は挿入口に返却し、利用度数がゼロになった場合は回収して再利用に供する必要がある。このため、カード式貸機では、必要に応じて、挿入口に返却したり回収したりする機能を備えておく必要がある。
【０００３】
この例としては、例えば特開２００１−１２９２２８号公報記載の玉貸し機が知られている。
【０００４】
【発明が解決しようとする課題】
ところで、上述したカード再利用型のカード式貸機では、カードを繰り返し使用するために、カードの摩耗を極力抑える必要がある。
【０００５】
ところが、従来のカード式貸機では、カードの摩耗の点については、十分な注意が払われていない。従って、カードが何度も繰り返し使用される場合、部分的に摩耗して色が剥がれたりすることがあるという問題点がある。
【０００６】
本発明は、このような点に鑑みてなされたもので、繰り返し使用されるカードの摩耗を最小限に抑えることができるカード回収装置を提供することを目的とする。
【０００７】
【課題を解決するための手段】
第１の発明は上記課題を解決するために、挿入されたカードを内部に引き込むと共に必要に応じて外部に押し出して返却するカード引き込み部と、当該カード引き込み部の引き込み方向奥側に設けられ引き込まれたカードを一時的に保管する保管部と、当該保管部で保管されたカードを適宜回収するカード回収部とを備えてなるカード回収装置であって、上記保管部は、一時的に保管したカードを返却する際にそのカードを上記カード引き込み部側へ押し戻す摩擦車を上記保管部の奥側上部に備えると共に、当該摩擦車と、上記カードを搬送する搬送ベルトとにより上記カードを支持し、上記カード回収部は、上記搬送ベルトが作動されることで上記カードの支持をなくし、上記カード引き込み部の引き込み方向と交差する方向にカードを搬送して回収する摩擦車でなる回収手段を備えたことを特徴とする。
【０００８】
上記構成により、カード引き込み部にカードを挿入すると、そのカードは引き込まれて奥側の保管部まで送られ、保管部に一時的に保管される。保管されたカードが返却される場合は、摩擦車がカードをカード引き込み部側へ押し戻す。カード引き込み部は、摩擦車によって押し戻されたカードを挿入口に返却する。保管部で一時的に保管したカードを回収する場合は、上記カードが上記搬送ベルトの支持をなくして上記回収手段に落下し、当該回収手段が、引き込み方向と交差する方向にカードを搬送して回収する。
【０００９】
第２の発明に係るカード回収装置は、第１の発明に係るカード回収装置において、上記摩擦車が、回転軸に取り付けられるハブと、当該ハブの周囲に放射状に複数設けられると共に可撓性があって摩擦抵抗の大きい摩擦ヘラとを備えて構成されたことを特徴とする。
【００１０】
上記構成により、回転軸によってハブが回転されると、ハブの周囲の摩擦ヘラも回転する。これにより、摩擦ヘラは、カードの表面に柔らかく、かつ広い範囲で接触し、大きな摩擦力でカードを移動させる。
【００１１】
第３の発明に係るカード回収装置は、第１又は２の発明に係るカード回収装置において、上記回収手段で回収したカードを保管する回収箱を備え、当該回収箱に、内部に保管されたカードを取りやすくするための切り欠きと、上記回収箱の下側に設けられ上記回収箱を前後方向にスライドさせるスライド機構とを備えたことを特徴とする。
【００１２】
上記構成により、回収箱をスライドさせて引き出して、回収したカードを切り欠きで両側から摘んで取り出す。
【００１３】
第４の発明に係るカード回収装置は、第１乃至３のいずれかの発明に係るカード回収装置において、上記保管部又は上記カード回収部に、再使用防止のための加工を施す加工手段を備えたことを特徴とする。
【００１４】
上記構成により、不良なカードや不正なカード等を回収した場合は、加工手段で再使用防止のための加工を施す。
【００１５】
第５の発明に係るカード回収装置は、第１乃至第４の発明のいずれかに記載のカード回収装置において、上記カード引き込み部が、その挿入口に、挿入されたカードを検知するカード検知センサと、当該カード検知センサでカード挿入を検知したときに上記保管部にカードが保管されていない場合及び利用度数等の残っていないカードが保管されている場合は開放すると共に上記保管部に利用度数等の残っているカードが保管されている場合は新しいカードの挿入を阻止するストッパとを備えたことを特徴とする。
【００１６】
上記構成により、カード検知センサがカードの挿入を検知すると、ストッパが作動する。このとき、保管部にカードが保管されていない場合及び利用度数等の残っていないカードが保管されている場合は、カード引き込み部の挿入口が開放され、カードの挿入が許容される。利用度数等の残っていないカードは、新しいカードの挿入と同時に、カード回収部に回収される。上記保管部に利用度数等の残っているカードが保管されている場合は、新しいカードの挿入が阻止される。
【００２１】
第６の発明に係るカード回収装置は、第１乃至第５の発明のいずれかに記載のカード回収装置において、新たなカードが挿入されたときに、上記保管部に保管されたカードを上記回収手段によって回収させる制御部を備えたことを特徴とする。
【００２２】
上記構成により、挿入されて保管部に一時的に保管されたカードが、返却されずに残っている状態で、新たなカードが挿入されると、制御部は、それを検知して上記保管部に保管されたカードを上記回収手段によって回収させる。
【００２３】
【発明の実施の形態】
以下、本発明に係るカード回収装置について、添付図面を参照しながら詳述する。なおここでは、カード回収装置をパチンコ遊技台の横に配設されている玉貸機に組み込んだ場合を例に説明する。
【００２４】
図１はカード回収装置を玉貸機に組み込んだ状態で示す一部破断斜視図、図２は玉貸機を示す斜視図、図３はカード回収装置を示す斜視図、図４はカード回収装置を示す斜視図、図５はパチンコ遊技台及び玉貸機の配列例を示す斜視図である。
【００２５】
パチンコホールでは、パチンコ遊技台及び玉貸機は、一般に図５に示すように配列されている。即ち、１つの島１に多数のパチンコ遊技台２が、横一列に配設されている。玉貸機３は、各パチンコ遊技台２の間に挿入されている。このため、玉貸機３は、図２に示すように、横幅が細く、縦長に形成されている。この玉貸機３の前面には、カード挿入返却口、流通貨幣挿入返却口、表示部、操作部、カード発行部等（いずれも図示せず）が設けられている。
【００２６】
玉貸機３の内部には、制御装置５、カード回収装置６等が組み込まれている。制御装置５には、電源部、制御部等が設けられて、全体を制御する。制御装置５の制御部には、図６のフローチャートに示す処理機能が格納されている。
【００２７】
カード回収装置６は、挿入されたカード７の情報を読み取ると共に、利用度数に応じてカード７を処理するための装置である。具体的には、カード７の利用度数がゼロになっていない場合は、そのまま保管し、遊技の終了等によってカード７を外部に排出して返却すると共に、利用度数がゼロになったカード７を回収するための装置である。本実施形態では、カード７として、記録手段を有さず、自己を識別するためのバーコードを施したカードを使用する。このため、カード回収装置６は、バーコードを読み取る機能を備えている。具体的には、図１、図３及び図４に示すように構成されている。このカード回収装置６は主に、カード引き込み部９と、保管部１０と、カード回収部１１と、駆動部１２とから構成されている。
【００２８】
カード引き込み部９は、挿入されたカード７を引き込むと共に必要に応じて外部に押し出して返却するための部位である。このカード引き込み部９は主に、カード挿入返却口１３と、搬送ベルト１４と、押えローラ１５と、カードリーダー１６と、カード検知センサ１７と、ストッパ１８とから構成されている。
【００２９】
カード挿入返却口１３は、カード７を挿入したり、排出して返却したりするための出入り口である。即ち、カード挿入返却口１３は、カード７を挿入する挿入口であると共に、カード７を返却する返却口でもある。カード挿入返却口１３は、カード７を出し入れしやすいように広げて形成されている。
【００３０】
搬送ベルト１４は、カード挿入返却口１３から挿入されたカード７を奥の保管部１０側へ搬送すると共に、保管部１０に保管されたカード７を必要に応じてカード挿入返却口１３へ戻すためのベルトである。搬送ベルト１４は、カード７の幅よりも狭い間隔で、上下に２本配設されている。搬送ベルト１４は、カード挿入返却口１３から保管部１０まで延ばして配設されている。各搬送ベルト１４の一端は、１本の駆動軸２１に駆動プーリ（図示せず）を介して取り付けられている。各搬送ベルト１４の他端は従動プーリ（図示せず）に掛け渡されて、一定のテンションで張られている。駆動軸２１の上端には、従動歯車２２と第１プーリ２３が取り付けられている。従動歯車２２は、減速用歯車２４を介して２つの駆動ベルト２５で駆動部１２に連結されている。
【００３１】
押えローラ１５は、カード挿入返却口１３から挿入されたカード７を搬送ベルト１４側に押圧するためのローラである。各搬送ベルト１４に面する位置に２つ設けられている。カード７は押えローラ１５と搬送ベルト１４とで挟み持つように支持されて、搬送ベルト１４で搬送される。各押えローラ１５は回転軸２７に取り付けられている。回転軸２７は、その両端を本体側に回転可能に支持されている。これにより、各押えローラ１５は、各搬送ベルト１４にそれぞれ面して回転可能に支持されている。
【００３２】
カードリーダー１６は、挿入されるカード７の情報を読み取るカード情報読み取り手段であり、カード７に施されたバーコードを読み取るためのセンサを備えている。このバーコードを読み取るセンサは、発光素子と受光素子（いずれも図示せず）を備えて構成され、光の反射の有無によってバーコードのデータを読み取るようになっている。このカードリーダー１６は、各搬送ベルト１４の間に設けられている。ここでは、２組のカードリーダー１６が並列に配設されている。各カードリーダー１６は、制御装置５の制御部に接続されている。
【００３３】
カード検知センサ１７は、カード挿入返却口１３にカード７が挿入されたことを検知するためのセンサである。このカード検知センサ１７は、発光素子と受光素子とを備えて構成されている。カード検知センサ１７は、カード挿入返却口１３の近傍に、上下に２つ並べて設けられている。２つのカード検知センサ１７の間隔は、カード７の幅よりも狭く設定されている。各カード検知センサ１７の発光素子と受光素子は、互いに対向して設けられ、検出光がカード７に直交するようになっている。これにより、カード７が挿入された場合に、検出光が遮断されてカード７の挿入を検知するようになっている。カード検知センサ１７は、制御装置５の制御部に接続されている。
【００３４】
ストッパ１８は、新しいカード７の挿入を許容したり阻止したりするための部材である。このストッパ１８は、カード挿入返却口１３に出没する阻止棒を備えた電磁ソレノイド（図示せず）によって構成されている。ストッパ１８は、制御装置５によって制御されている。これにより、カード検知センサ１７でカード７の挿入を検知したときに、保管部１０にカード７が保管されていない場合及びポイント等の残っていないカードが保管されている場合は、阻止棒を引き込んでカード挿入返却口１３を開放すると共に、保管部１０にポイント等の残っているカード７が保管されている場合は、阻止棒を突出させてカード挿入返却口１３を塞ぎ、新しいカード７の挿入を阻止するようになっている。ストッパ１８の阻止棒は、通常は突出してカード挿入返却口１３を塞いだ状態なっている。
【００３５】
保管部１０は、カード引き込み部９の引き込み方向奥側に設けられて、引き込まれたカード７を一時的に保管するための部分である。保管部１０は、カード７を１枚収納できる程度の空間として形成されている。保管部１０の奥側には、返却補助手段３１が設けられている。この返却補助手段３１は、保管部１０内に一時的に保管したカード７を返却する際に、そのカード７をカード引き込み部９側へ押し戻すための部材である。返却補助手段３１は、摩擦車３２で構成されている。この摩擦車３２は、ハブ３３と、摩擦ヘラ３４とから構成されている。ハブ３３は、多数の摩擦ヘラ３４を支持するための部材である。ハブ３３は、回転軸３５に堅固に取り付けられている。摩擦ヘラ３４は、カード７に接触して、保管部１０側へ引き込んだり、カード挿入返却口１３側へ押し戻したりするための部材である。摩擦ヘラ３４は、平板の短冊状に形成されている。摩擦ヘラ３４は、ハブ３３の周囲に放射状に多数（本実施形態では８枚）設けられている。
【００３６】
上記ハブ３３及び摩擦ヘラ３４は、ゴムや、可撓性があって摩擦抵抗の大きい合成樹脂等によって構成されている。これにより、ハブ３３は、回転軸３５に空回りすることなく堅固に取り付けられる。摩擦ヘラ３４は、短冊状で、可撓性があって摩擦抵抗が大きいことにより、カード７の表面に柔らかく、かつ広い範囲で接触し、大きな摩擦力で引き寄せたり、押しやったりする。これにより、摩擦ヘラ３４は、カード７にダメージを与えることなく、カード７を確実に移動させることができるようになっている。
【００３７】
回転軸３５の上端部には第２プーリ３７が取り付けられている。この第２プーリ３７は上下２段のプーリ部によって構成されている。この第２プーリ３７の上段プーリ部は、上記第１プーリ２３とベルト３８で連結されている。第２プーリ３７の下段プーリ部は、テンションプーリ３９を介して後述する第３プーリ４７とベルト４０で連結されている。
【００３８】
保管部１０の奥側の下部には、保管されるカード７の位置を決めるエンドセンサ４１が設けられている。このエンドセンサ４１は、発光素子と受光素子とからなる。この発光素子と受光素子とで、検出光をカード７の挿入方向に直交する方向に通し、この検出光が遮断されることで、カード７の位置を検出する。このエンドセンサ４１は、制御装置５の制御部に接続されている。これにより、エンドセンサ４１でカード７を検出した時点で、搬送ベルト１４によるカード７の搬送動作が停止されるようになっている。
【００３９】
カード回収部１１は、保管部１０で保管したカード７を適宜回収するための部材である。カード回収部１１は、カード引き込み部９の引き込み方向と交差する方向にカード７を搬送して回収する回収手段４３と、この回収手段４３で回収したカード７を保管する回収箱４４とから構成されている。
【００４０】
回収手段４３は、保管部１０の下部に設けられている。保管部１０の下部には、１枚のカード７が通過できる程度の開口が設けられている。保管部１０に保管されたカード７は、この開口を通過して回収箱４４に収納される。回収手段４３は、この保管部１０の下部の開口に望ませて設けられている。具体的には、保管部１０の下側の開口に水平方向（カード７の引き込み方向）に並べて配設された４つの摩擦車４５によって構成されている。これらは１本の駆動軸４６にそれぞれ取り付けられて、一体的に回転するようになっている。この駆動軸４６の一端部には、第３プーリ４７が取り付けられている。この第３プーリ４７は、上記第２プーリ３７の下段プーリ部と、テンションプーリ３９を介して駆動ベルト４０で連結されている。これにより、搬送ベルト１４と、返却補助手段３１と、回収手段４３とが一体的に連動して回転するようになっている。
【００４１】
各摩擦車４５は、上記返却補助手段３１の摩擦車３２と同様に構成されている。摩擦ヘラ３４は、上記保管部１０の下部の開口に望ませて設けられている。
【００４２】
回収箱４４は、回収されたカード７を保管するための部材である。回収箱４４は、保管部１０の下側に設けられ、回収手段４３で保管部１０の下部の開口から下方へ移動されたカード７を回収して保管する。回収箱４４は、前板５１と、両方の側板５２と、奥板５３と、底板５４とから構成されている。前板５１は、玉貸機３の前面を覆い、玉貸機３の前面板の一部を構成している。両側板５２の前方には大きな切り欠き５５が設けられている。この切り欠き５５は、内部に保管されたカード７を取りやすくするためのものである。回収箱４４の下側にはスライド機構５６が設けられている。このスライド機構５６は、玉貸機３の本体側に支持された状態で、回収箱４４を前後方向にスライドさせるための機構である。このスライド機構５６によって、回収箱４４を玉貸機３の前面から引き出して、回収したカード７を切り欠き５５で両側から摘んで取り出せるようになっている。
【００４３】
駆動部１２は、搬送ベルト１４等を駆動するための駆動源である。駆動部１２は駆動モータによって構成されている。この駆動部１２は、制御装置５の制御部によって制御される。
【００４４】
［動作］
以上のように構成された玉貸機３のカード回収装置６は、次のように動作する。制御装置５の制御部での処理機能である図６のフローチャートを基に説明する。
【００４５】
まず、カード検知センサ１７がカード７を検知したか否かを判断する（ステップＳ１）。カード７を検知しない場合は、処理を終了する。カード７を検知した場合は、保管部１０にカード７が保管されているか否かを判断する（ステップＳ２）。この場合、エンドセンサ４１でカード７を検出したか否かで判断する。
【００４６】
ステップＳ２で、保管部１０にカード７が保管されていないと判断した場合は、ストッパ１８と駆動部１２とを作動させる（ステップＳ３）。ストッパ１８の作動により、阻止棒が収納され、カード引き込み部９のカード挿入返却口１３が開放される。これにより、カード７はそのまま内部に挿入される。さらに、駆動部１２の作動により、減速用歯車２４、駆動軸２１を介して搬送ベルト１４が駆動される。これにより、挿入されたカード７は、搬送ベルト１４と押えローラ１５とに挟まれて保管部１０側へ送られる。
【００４７】
このとき、カード７のバーコードを読み取る（ステップＳ４）。カード７は搬送ベルト１４による搬送時に、カードリーダー１６を通過する。このため、カードリーダー１６でカード７のバーコードを読み取る。この読み取ったバーコードは、制御装置５の制御部に記録したデータを参照して、そのバーコードと対応して記録された利用度数を判断する。この利用度数は、玉貸機３の前面の表示部に表示する（ステップＳ５）。
【００４８】
次いで、エンドセンサ４１でカード７を検出したか否かを判断し（ステップＳ６）、カード７を検出するまで待つ。カード７を検出した場合は、駆動部１２を停止する（ステップＳ７）。このとき、カード７は、搬送ベルト１４で保管部１０側へ搬送され、返却補助手段３１の摩擦車３２まで達する。これにより、カード７は、各搬送ベルト１４の保管部１０側端部と、返却補助手段３１の摩擦車３２とで、３点支持されている。なお、この状態では、回収手段４３の各摩擦車４５は接触していない。
【００４９】
次いで、遊技終了か否かを判断し（ステップＳ８）、遊技終了でない場合は処理を終了する。遊技終了である場合は、利用度数がゼロか否を判断する（ステップＳ９）。利用度数がゼロの場合は、そのまま処理を終了する。利用度数がゼロでない場合は、駆動部１２を逆回転させて、各搬送ベルト１４の保管部１０側端部と、返却補助手段３１の摩擦車３２とで３点支持されたカード７を返却する（ステップＳ１０）。即ち、カード７を、返却補助手段３１の摩擦車３２で搬送ベルト１４側へ押し戻し、搬送ベルト１４でカード挿入返却口１３まで押し戻して返却する。
【００５０】
一方、上記ステップＳ２において、保管部１０にカード７が保管されていると判断した場合は、そのカード７の利用度数がゼロか否かを判断する（ステップＳ１１）。
【００５１】
利用度数がゼロと判断した場合は、上記ステップＳ３に進み、ストッパ１８と駆動部１２とを作動させる。このとき、ストッパ１８は上記同様に作動する。一方、駆動部１２の作動により、搬送ベルト１４が作動されると共に、返却補助手段３１及び回収手段４３も作動される。これにより、保管部１０に保管されたカード７は、２つの搬送ベルト１４から完全に外れてその支持をなくす。これにより、カード７は、回収手段４３の摩擦車４５に落下し、摩擦車４５の摩擦ヘラ３４で柔らかく、かつ確実に引き寄せられて、下方へ移動される。そして、そのまま回収箱４４に落下して、保管される。次いで、ステップＳ４以降の処理を行う。
【００５２】
一方、ステップＳ１１で、利用度数がゼロでないと判断した場合は、ストッパ１８と駆動部１２とを作動させず、利用度数を玉貸機３の表示部に表示させる（ステップＳ１２）。これにより、新しいカード７の挿入が阻止されると共に、保管部１０に保管されたカード７はそのまま保管される。
【００５３】
回収箱４４にカード７が貯まった場合は、適宜取り出す。このときは、回収箱４４を玉貸機３の前面から引き出し、回収したカード７を切り欠き５５で両側から摘んで取り出す。その後、回収箱４４を押し込んで、元に戻す。
【００５４】
以上のように、返却補助手段３１及び回収手段４３の摩擦車３２の摩擦ヘラ３４が、カード７の表面に柔らかく、かつ広い範囲で接触し、大きな摩擦力でカード７を移動させるため、カード７の摩耗等のダメージを最小限に押さえることができる。この結果、カード７が繰り返し使用される場合に、その寿命を大幅に延ばすことができる。
【００５５】
［変形例］
（１）  上記実施形態では、カード回収部１１を、カード引き込み部９の引き込み方向と交差する方向（垂直方向）に備えたが、カード引き込み部９の引き込み方向（水平方向）の奥側に備えてもよい。カード回収装置６が組み込まれる装置に応じて適宜設定する。この場合も、上記実施形態同様の作用、効果を奏することができる。
【００５６】
また、これに合わせて、回収手段４３も、保管部１０の下側に上記引き込み方向に並べて配設された複数の摩擦車４５を備えたが、カード回収部１１を、カード引き込み部９の引き込み方向（水平方向）の奥側に備える場合は、摩擦車４５を引き込み方向と交差する方向に並べて配設することになる。この場合も、上記実施形態同様の作用、効果を奏することができる。
【００５７】
（２）  上記実施形態では、カード回収装置６をパチンコ遊技台２の玉貸機３に組み込んだ場合を例に説明したが、他の遊技機の貸機に使用してもよい。この場合も、上記実施形態同様の作用、効果を奏することができる。
【００５８】
（３）  上記実施形態では、回収箱４４にカード７を保管する構造としたが、不良なカード７や不正なカード７等を回収した場合等においては、保管部１０又はカード回収部１１に、再使用防止のための加工を施す加工手段を備えてもよい。この加工手段としては、パンチング装置等を用いる。
【００５９】
（４）  上記実施形態では、摩擦車を、ハブ３３と摩擦ヘラ３４とから構成したが、歯車状の凹凸を備えたものや、平坦なロール状に形成したもの等でもよい。この場合、特に平坦なロール状に形成したものでは、十分な可撓性と摩擦力を備えた材料で構成する。これにより、カード７に接触すると、摩擦車がカード７の形状に合わせて変形しながら、十分な摩擦力でカード７を移動させることができる。
【００６０】
（５）  上記実施形態では、カード引き込み部９とカード回収部１１とをベルト３８，４０で連結して連動させるようにしたが、これらカード引き込み部９とカード回収部１１とを個別に駆動させるようにしてもよい。即ち、カード引き込み部９とカード回収部１１とにそれぞれ駆動部を設け、個別に駆動させるようにしてもよい。
【００６１】
【発明の効果】
以上、詳述したように本発明によれば、次のような効果を奏する。
【００６２】
（１）  上記保管部が、一時的に保管したカードを返却する際にそのカードを上記カード引き込み部側へ押し戻す返却補助手段を備え、上記カード回収部が、上記カード引き込み部の引き込み方向と交差する方向にカードを搬送して回収する回収手段を備えたので、カード引き込み部に挿入されたカードを、必要に応じて、適宜、保管したり、返却したり、回収したりすることができる。
【００６３】
（２）  返却補助手段を、摩擦車を備えて構成したので、摩擦車がカードに接触した状態で回転して、カードを確実に移動させることができる。
【００６４】
（３）  回収手段を、保管部の下側に上記引き込み方向に並べて配設された複数の摩擦車を備えて構成したので、カードを回収する場合は、各摩擦車が回転してカードを確実に引き込み、回収箱に保管することができる。
【００６５】
（４）  摩擦車を、回転軸に取り付けられるハブと、当該ハブの周囲に放射状に複数設けられると共に可撓性があって摩擦抵抗の大きい摩擦ヘラとを備えて構成したので、摩擦ヘラが、カードの表面に柔らかく、かつ広い範囲で接触し、大きな摩擦力でカードを移動させることができる。これにより、カードの摩耗等のダメージを最小限に押さえることができる。この結果、カードを繰り返し使用する場合に、その寿命を大幅に延ばすことができる。
【００６６】
（５）  カード引き込み部が、その挿入口に、挿入されたカードを検知するカード検知センサと、当該カード検知センサでカード挿入を検知したときに上記保管部にカードが保管されていない場合及び利用度数等の残っていないカードが保管されている場合は開放すると共に上記保管部に利用度数等の残っているカードが保管されている場合は新しいカードの挿入を阻止するストッパとを備えたので、カード検知センサがカードの挿入を検知してストッパを作動させることにより、適宜、カード引き込み部の挿入口を開放して、カードの挿入を許容すると共に、カード引き込み部の挿入口を塞いで、新しいカードの挿入を阻止することができる。
【００６７】
（６）  カード引き込み部に、挿入されるカードの情報を読み取るカード情報読み取り手段を備えたので、カード情報読み取り手段で、挿入されるカードの情報を読み取り、利用度数等を判断することができる。
【００６８】
（７）  上記保管部に、保管されるカードの位置を決めるエンドセンサを備えたので、エンドセンサが、保管部に挿入されたカードを検知して、カードの位置決めを行うことができる。
【図面の簡単な説明】
【図１】本発明に係るカード回収装置を玉貸機に組み込んだ状態で示す一部破断斜視図である。
【図２】本発明に係る玉貸機を示す斜視図である。
【図３】本発明に係るカード回収装置を示す斜視図である。
【図４】本発明に係るカード回収装置を示す斜視図である。
【図５】本発明に係るパチンコ遊技台及び玉貸機の配列例を示す斜視図である。
【図６】本発明に係る制御装置５の制御部での処理を示すフローチャートである。
【符号の説明】
１：島、２：パチンコ遊技台、３：玉貸機、５：制御装置、６：カード回収装置、７：カード、９：カード引き込み部、１０：保管部、１１：カード回収部、１２：駆動部、１３：カード挿入返却口、１４：搬送ベルト、１５：押えローラ、１６：カードリーダー、１７：カード検知センサ、１８：ストッパ、２１：駆動軸、２２：従動歯車、２３：第１プーリ、２４：減速用歯車、２５：駆動ベルト、２７：回転軸、３１：返却補助手段、３２：摩擦車、３３：ハブ、３４：摩擦ヘラ、３５：回転軸、３７：第２プーリ、３８：ベルト、３９：テンションプーリ、４０：ベルト、４１：エンドセンサ、４３：回収手段、４４：回収箱、４５：摩擦車、４６：駆動軸、４７：第３プーリ、５１：前板、５２：側板、５３：奥板、５４：底板、５５：切り欠き、５６：スライド機構。
【図１】
0003863045.tif 000002
【図２】
0003863045.tif 000003
【図３】
0003863045.tif 000004
【図４】
0003863045.tif 000005
【図５】
0003863045.tif 000006
【図６】
0003863045.tif 000007